(57)【特許請求の範囲】
【請求項１】
下方に開口部を設けた集塵室と、前記集塵室内に回転自在に配設されるアジテ−タ−と、前記下方開口部を介して集塵室内に流入した塵埃を含んだ空気を吸引する吸引口と、外気と前記集塵室を連通する吸引流路を有し、前記アジテ−タ−が吸引流路より吸引される吸引風を受けることにより回転するとともに、前記吸引流路を前記集塵室の前方の壁の下部に設け、前記開口部後方の開口縁に外気と連通する凹部を有し、床面上で前記凹部を介して、前記アジテ−タ−の回転方向に反する方向から吸引風を掃除体に作用させる電気掃除機用吸込具。
【請求項２】
下方に開口部を設けた集塵室と、前記集塵室内に回転自在に配設されるアジテ−タ−と、前記下方開口部を介して集塵室内に流入した塵埃を含んだ空気を吸引する吸引口と、外気と前記集塵室を連通する吸引流路を有し、前記アジテ−タ−が吸引流路より吸引される吸引風を受けることにより回転するとともに、前記吸引流路に開閉体を設け、前記開口部後方の開口縁に外気と連通する凹部を有し、床面上で前記凹部を介して、前記アジテ−タ−の回転方向に反する方向から吸引風を掃除体に作用させる電気掃除機用吸込具。
【請求項３】
電動送風機を内蔵した掃除機本体と、この掃除機本体の吸引力が作用するように請求項１または２記載の電気掃除機用吸込具と接続した電気掃除機。
【発明の詳細な説明】
【０００１】
【発明の属する技術分野】
本発明は、電気掃除機用吸込具及び前記吸込具を用いた電気掃除機に関するものである。
【０００２】
【従来の技術】
近年、アジテ−タ−を強制的に回転させ、じゅうたん等の掃除を有効に行う電気掃除機用吸込具が主流となってきている。
【０００３】
従来の電気掃除機用吸込具の構成を図１４及び図１５を用いて説明する。
【０００４】
図のように、吸込具本体２内には回転軸５を有するアジテ−タ−６を回転自在に配し、回転軸５の両端部にはエアタ−ビン４を配している。また、吸込具本体２の下面にはアジテ−タ−６と対向する部分（エアタ−ビン４を除く）に下方開口部Ｃを設け、この下方開口部Ｃから被掃除面の塵埃を吸引風と共に吸込具本体２に吸引する。なお、吸引風は吸込具本体２内の後方に設けた吸込パイプＡを電気掃除機本体の吸込口側に接続し、電気掃除機本体の電動送風機を駆動することにより発生する。また、吸引力が吸込具本体２に加わると、エアタ−ビン４の上方に対向して設けられた空気流入口Ｂを介して外気が吸込具本体２内に導入され、矢印１に示す気流が発生し、この気流１によりエアタ−ビン４が回転し、エアタ−ビン４と共に取り付けられたアジテ−タ−６が軸受け７を支点として回転する。このように、吸引力によりアジテ−タ−６を回転させ、アジテ−タ−６の回転により被掃除面の塵埃を掻き出し、吸引風と共に下方開口部Ｃから塵埃を吸引していた。
【０００５】
【発明が解決しようとする課題】
このように従来の電気掃除機用吸込具では、エアタ−ビン４とアジテ−タ−６を別部材とし、吸込具本体２内に装着していたため、吸込具自体の外形が大きくなり家具と壁との間など狭い箇所の掃除が行い難く、また部品点数も多くなり、組立性が良くなかった。
【０００６】
また、エアタ−ビン４をアジテ−タ−６の両端部にそれぞれ別部材にて構成していたので、掃除に寄与するアジテ−タ−６の幅３以外にエアタ−ビン４の幅が必要となり、吸込具の幅に対し実際に塵埃を集塵できる幅はかなり小さくなっていた。
【０００７】
本発明は、上記課題を解決するもので、吸込具の幅に対しアジテ−タ−による掃除可能範囲を拡大するとともに、吸込具の小型化を図り組立性を向上させることを目的としている。
【０００８】
【課題を解決するための手段】
本発明は、上記課題を解決するために、下方に開口部を設けた集塵室と、前記集塵室内に回転自在に配設されるアジテ−タ−と、前記下方開口部を介して集塵室内に流入した塵埃を含んだ空気を吸引する吸引口と、外気と前記集塵室を連通する吸引流路を有し、前記アジテ−タ−が吸引流路より吸引される吸引風を受け回転するとともに、前記吸引流路を前記集塵室の前方の壁の下部に設け、前記開口部後方の開口縁に外気と連通する凹部を有し、床面上で前記凹部を介して、前記アジテ−タ−の回転方向に反する方向から吸引風を掃除体に作用させる電気掃除機用吸込具としたことで、吸引風は前記集塵室の前方の下部から集塵室内に進入し、前記集塵室内にて塵埃を吹き上げるとともにアジテ−タ−を回転させ吸引口へ吸引されるが、その流れが略直線状で集塵室内にてほぼ最短距離であることでアジテ−タ−を効率よく回転できる。また、絨毯上では凹部が埋まり吸込具本体最下面と被掃除面と接触するため、アジテ−タ−の回転力は変化せず集塵性能を維持するとともに、床面上では開口部後方の開口縁に外気と連通する凹部にて、アジテ−タ−の回転方向に反する方向から吸引風が掃除体に作用することで、アジテ−タ−の回転力を低下させ、床面での低騒音化が実現できる。
【０００９】
【発明の実施の形態】
本発明の請求項１記載の発明は、下方に開口部を設けた集塵室と、前記集塵室内に回転自在に配設されるアジテ−タ−と、前記下方開口部を介して集塵室内に流入した塵埃を含んだ空気を吸引する吸引口と、外気と前記集塵室を連通する吸引流路を有し、前記アジテ−タ−が吸引流路より吸引される吸引風を受け回転するとともに、前記吸引流路を前記集塵室の前方の壁の下部に設け、前記開口部後方の開口縁に外気と連通する凹部を有し、床面上で前記凹部を介して、前記アジテ−タ−の回転方向に反する方向から吸引風を掃除体に作用させる電気掃除機用吸込具としたことで、吸引風は前記集塵室の前方の下部から集塵室内に進入し、前記集塵室内にて塵埃を吹き上げるとともにアジテ−タ−を回転させ吸引口へ吸引されるが、その流れが略直線状で集塵室内にてほぼ最短距離であることでアジテ−タ−を効率よく回転できる。また、絨毯上では凹部が埋まり吸込具本体最下面と被掃除面と接触するため、アジテ−タ−の回転力は変化せず集塵性能を維持するとともに、床面上では開口部後方の開口縁に外気と連通する凹部にて、アジテ−タ−の回転方向に反する方向から吸引風が掃除体に作用することで、アジテ−タ−の回転力を低下させ、床面での低騒音化が実現できる。
【００１０】
本発明の請求項２記載の発明は、下方に開口部を設けた集塵室と、前記集塵室内に回転自在に配設されるアジテ−タ−と、前記下方開口部を介して集塵室内に流入した塵埃を含んだ空気を吸引する吸引口と、外気と前記集塵室を連通する吸引流路を有し、前記アジテ−タ−が吸引流路より吸引される吸引風を受けることにより回転するとともに、前記吸引流路に開閉体を設け、前記開口部後方の開口縁に外気と連通する凹部を有し、床面上で前記凹部を介して、前記アジテ−タ−の回転方向に反する方向から吸引風を掃除体に作用させる電気掃除機用吸込具としたもので、絨毯等の吸込具本体最下面と被掃除面とが接触する場合には、吸引流が吸引流路の流入穴を通過し開閉体を開く開口能力が強いため、開閉体の開口面積は最大となり、吸引流路から吸引される吸引風量は低下せず、アジテ−タ−の回転力を維持でき、絨毯での集塵性能を低下させることなく、一方、床面、畳等の吸込具本体最下面と被掃除面との隙間が大きい場合に、吸引流が吸引流路の流入穴を通過し開閉体を開く開口能力が弱く、開閉体の開口面積が小さいことで、吸引流路から吸引される吸引風量が少なくなり、アジテ−タ−の回転力を抑えられ、床面、畳等での低騒音化を実現するものである。また、絨毯上では凹部が埋まり吸込具本体最下面と被掃除面と接触するため、アジテ−タ−の回転力は変化せず集塵性能を維持するとともに、床面上では開口部後方の開口縁に外気と連通する凹部にて、アジテ−タ−の回転方向に反する方向から吸引風が掃除体に作用することで、アジテ−タ−の回転力を低下させ、床面での低騒音化が実現できる。
【００１１】
本発明の請求項３記載の発明は、電動送風機を内蔵した掃除機本体と、この掃除機本体の吸引力が作用するように、請求項１または２記載の電気掃除機用吸込具と接続した電気掃除機である。
【００１２】
【実施例】
（実施例１）
以下、本発明の第１の実施例を、図１〜２を用いて説明する。
【００１３】
吸込具本体は、下部枠体１１とケ−シング１２にて集塵室１３を形成し、前記ケ−シング１２の上方より上部枠体１４を配設して構成されており、前記集塵室１３の被掃除面方向、すなわち下部枠体１１の下面には開口部１５が設けられている。吸込具本体の後部には電気掃除機用本体の吸込口側に接続され、前後左右に自在になる構造を成したフレキシブルな継手部１６を有し、上記ケ−シング１２部内には前記継手部１６の内方先端側と集塵室１３とを連通する吸引口１７を有している。また、前記集塵室１３の前方下部と外気を連通する流入口１８を下部枠体１１の前方に有する吸引流路１９は前記下部枠体１１とケ−シング１２にて構成されている。そして、電気掃除機用本体内の電動送風機用を駆動すると、吸引力が継手部１６、吸引口１７と作用し、下方開口部１５を介して塵埃を含む外気を吸引する。
【００１４】
また、前記集塵室１３内にはアジテ−タ−２０が回転自在に配されており、そのアジテ−タ−２０の配置位置は開口部１５と対向するようにしている。アジテ−タ−２０は、円柱形状のホルダ−２１とホルダ−２１の外周面に配し帯状に形成された突状帯やブラシ体等の掃除体２２から構成されている。掃除体２２はホルダ−２１の回転軸方向に対し放射状に配されており、また、個々の掃除体２２はホルダ−２１の幅方向に配され、しかも、全幅にわたり突設している。また、掃除体２２はホルダ−２１の外周の長手方向の中央付近の頂点２３より略への字状に形成して、回転時（矢印Ａ）には前記への字状の頂点２３が一番先に進行するよう前記ホルダ−２１の外周の長手方向の中央付近を境に対称形状の螺旋状に構成されている。
【００１５】
上記構成による動作、作用は以下の通りである。電気掃除機本体内の電動送風機を駆動すると吸引力が発生し、吹込具を被掃除面上に置くと吸込具の開口部１５は被掃除面で覆われてしまい、吸引口１７からの吸引力を受けて外気を導入する箇所は、下部枠体１１に流入口１８を有し、前記集塵室１３の前方と外気とを連通する吸引流路１９からとなり、図１、図２の矢印２４に示す吸引風の流れが発生する。前記吸引風２４が集塵室１３内部に流入し、掃除体２２に向かうが、吸引口１７に流れ込む際の流入方向に対し掃除体２２は前記吸引風２４の流入角度と異なる角度にて設定されているため、吸引風２４の圧力により回転力が発生し、アジテ−タ−２０は回転する。以上の動作が連続的に発生しアジテ−タ−２０は連続回転を行う。前記アジテ−タ−２０の回転時に、掃除体２２先端は被掃除面に接していることで連続的に被掃除面と衝突し、被掃除面上の塵埃を掻き出すものである。よって、アジテ−タ−２０の掃除体２２に塵埃を掻き出す効果と、従来別構成となっていたエアタ−ビンの役割も持たせるものである。
【００１６】
また、吸引風２４は、吸込具の下部枠体１１の前面部に外気と前記集塵室１３の前方下部を連通する流入口１８を有する吸引流路１９から流入するので、矢印２５で示される方向に、塵埃を掻きあげながらに掃除体２２に向かい、アジテ−タ−２０を回転させ吸引口１７に吸引されるが、上記吸引風２４が前記集塵室１３の前方下部から流入されることで、その流れが略直線状で前記集塵室１３にてほぼ最短距離であり、吸引風２４の流路の圧力損失が小さいことからアジテ−タ−を効率よく回転できる。
【００１７】
（実施例２）
以下、本発明の第２の実施例を、図３を用いて説明する。なお、上記実施例と同一構成部品には同一符号を付し、その説明は省略する。図３において、吸引流路１９を下部枠体１１に複数設けたもので、本実施例においては下部枠体１１に吸引流路１９の流入口１８を左右に分割して設けている。
【００１８】
上記構成による動作、作用は以下の通りである。流入口１８をに左右に分割して設けたことで、吹込具を被掃除面上に置くと、図３の矢印２４に示す吸引風の流れが発生する。前記吸引風２４が下部枠体１１の左右に分割された流入口１８から集塵室１３内部に流入し、被掃除面の塵埃を吹き上げるとともに掃除体２２に向かうが、吸引口１７に流れ込む際の流入方向に対し掃除体２２は前記吸引風２４の流入角度と略直角にて設定されているため、吸引風２４の圧力が一番効率よくアジテ−タ−２０の回転力にできるとともに、上記吸引風２４は分割された流入口（１つ当たりの開口面積を小さくできる）１８より集塵室１３内部に流入しているため、掃除体２２に向かう吸引風２４は噴射状となり、より強力な回転力がアジテ−タ−２０に伝達できる。
【００１９】
（実施例３）
以下、本発明の第３の実施例を、図４、図５を用いて説明する。なお、上記実施例と同一構成部品には同一符号を付し、その説明は省略する。図４、図５において、吸引流路１９内に開閉体２６を設けたものである。
【００２０】
上記構成による動作、作用は以下の通りである。図４のように、被掃除面が畳等の床面２７の場合、すなわち吸込具本体最下面と被掃除面との隙間が大きい場合には、前記隙間から集塵室１３を介して吸引口１７に流れ込む空気が少量生じるため、吸引風２４が吸引流路１９の流入口１８を通過し開閉体２６を開く開口能力が弱く、開閉体２６の開口面積が設置前に対して小さいため、吸引流路１９から吸引される吸引風量が少なくなり、アジテ−タ−２０の回転時に掃除体２２と被掃除面との接触抵抗が小さく、アジテ−タ−２０の回転数や騒音が大きくなりがちな床面２７等において、アジテ−タ−２０の回転力を抑えられ、床面２７、畳等での低騒音化が実現できる。
【００２１】
一方、図５のように、被掃除面が絨毯２８等で吸込具本体最下面と被掃除面とが接触する場合には、吸込具本体最下面と被掃除面との隙間から集塵室１３を介して吸引口１７に流れ込む空気がほとんどないため、吸引流２４が吸引流路１９の流入口１８を通過し開閉体２６を開く開口能力が強く開閉体２６の開口面積は最大となり、吸引流路１９から吸引される吸引風量は開閉体２６の設置前に対しても低下せず、絨毯２８上等のアジテ−タ−２０の回転時の抵抗が大きい場合においても、アジテ−タ−２０の回転力および集塵性能は維持できる。
【００２２】
（実施例４）
以下、本発明の第４の実施例を、図６（ａ）、（ｂ）を用いて説明する。なお、上記実施例と同一構成部品には同一符号を付し、その説明は省略する。開閉体２６に樹脂薄板材による開閉弁２９を用いたものである。樹脂薄板材の上方にコの字形状部を形成して下部枠体１１の上枠部に挿入するとともに、その上方よりバンパ−３０を被せ前記開閉弁２９を図６（ａ）のように固定し、前記吸引流路１９の流入口１８を閉塞する。前記開閉弁２９は、前記開閉弁２９の厚みを調整することで開弁能力（変形し易さ）が決定され、この厚みを調整すること及び上記吸引流路１９の流入口１８に作用する吸引力の大きさとにより、前記開閉弁２９と下部枠体１１の下端とで形成する上記吸引流路１９の開口面積は決定される。
【００２３】
上記構成による動作、作用は以下の通りである。吹込具を被掃除面上に置くと吸込具の開口部１５は被掃除面で覆われてしまうので、吸引口１７からの吸吸引力を受けて外気を導入しようとする圧力が前記開閉弁２９に作用する。
【００２４】
前記圧力が作用すると開閉弁２９は開き（作用しないと閉じられる）、その開口部より吸引風２４は集塵室１３内部に流入し、被掃除面の塵埃を吹き上げるとともに掃除体２２に向かい、吸引風２４の圧力により回転力が発生し、アジテ−タ−２０は回転する。以上の動作が連続的に発生しアジテ−タ−２０は連続回転を行う。従って、絨毯２８などの吸込具本体最下面と被掃除面とが接触している場合には、開閉弁２９に作用する開弁圧が大きいため、集塵室１３内部に流入する吸引風２４の圧力も大きくアジテ−タ−２０は高回転し集塵性能が維持できるとともに、床面２７や畳などの吸込具本体最下面と被掃除面との隙間が大きい場合には、開閉弁２９に作用する開弁圧が小さいため、集塵室１３内部に流入する吸引風２４の圧力も小さくアジテ−タ−２０は低回転し低騒音化が実現できる。上記アジテ−タ−２０の回転数調整を、樹脂薄板材を用いた開閉弁にて部品点数も少なく低コストで実現したものである。
【００２５】
（実施例５）
以下、本発明の第５の実施例を、図７を用いて説明する。なお、上記実施例と同一構成部品には同一符号を付し、その説明は省略する。図７において、吸込具は、下部枠体１１とケ−シング１２にて集塵室１３を形成し、前記ケ−シング１２の上方より上部枠体１４を配設して第二吸引流路３１を設け、前記吸引流路１９と連通させることで流入口を２口有する分岐流路から構成されるアジテ−タ−２０回転用吸引風２４が通過する吸引流路を形成できる。以下、下部枠体１１の前面部に外気と前記集塵室１３の前方下部を連通する流入口１８を有する吸引径路を第一吸引流路、ケ−シング１２と上部枠体１４とで形成した空気流路を第二吸引流路３１とする。
【００２６】
上記構成による動作、作用は以下の通りである。吸込具にて、被掃除面を通常掃除する場合には、吸込具を被掃除面上に置くと吸込具の開口部１５は被掃除面で覆われてしまい、吸引口１７からの吸引力を受けて外気を導入する箇所は、前記下部枠体１１の前面部に外気と前記集塵室１３の前方下部を連通する流入口１８を有する第一吸引流路１９からと、ケ−シング１２と上部枠体１４とで形成した第二吸引流路３１からとなり、双方から合流した吸引風２４が集塵室１３内部に流入し、被掃除面の塵埃を吹き上げるとともに掃除体２２に向かい、吸引風２４の圧力により回転力が発生し、アジテ−タ−２０は回転する。以上の動作が連続的に発生しアジテ−タ−２０は連続回転を行う。そして、図７のように、吸込具の前面下方壁に設けた第一吸引流路１９の流入口１８が壁３２や毛の長い絨毯などの障害物で閉塞された場合でも、ケ−シング１２と上部枠体１４とで形成した第二吸引流路３１よりアジテ−タ−２０の回転用の吸引風２４は進入するため、多様な掃除形態においても集塵性能や操作性能を維持できるとともに、吸引風２４は集塵室１３内へ常時前方下部より進入し、上記集塵室１３内にて塵埃を吹き上げるとともにアジテ−タ−２０を回転させ吸引口１７へ吸引されるが、その流れが略直線状で集塵室１３内にてほぼ最短距離であることでアジテ−タ−２０を効率よく回転できるものである。
【００２７】
なお、本実施例では、下部枠体１１の前面部に外気と前記集塵室１３の前方下部を連通する流入口１８を有する第一吸引流路１９内に開閉体２６が設けられていないが、開閉体２６を設けた場合でも、通常時は開閉体２６が開き、主に第一吸引流路１９を通過した吸引風２４によりアジテ−タ−２０は回転し、また、第一吸引流路１９の流入口１８が壁３２や毛の長い絨毯などの障害物で閉塞された場合には、前記開閉体２６は閉じ、第二吸引流路３１を通過した吸引風２４によりアジテ−タ−２０は回転することで上記機能および効果を十分に満足するものである。
【００２８】
（実施例６）
以下、本発明の第６の実施例を、図８を用いて説明する。なお、上記実施例と同一構成部品には同一符号を付し、その説明は省略する。下部枠体１１の前面部に外気と前記集塵室１３の前方下部を連通する流入口１８を有する吸引流路を第一吸引流路１９とケ−シング１２と上部枠体１４とで形成した第二吸引流路３１の分岐合流部の第２吸引流路３１側に通気性防音材３３を設けたものである。
【００２９】
上記構成による動作、作用は以下の通りである。吸込具を被掃除面上に置くと吸込具の開口部１５は被掃除面で覆われてしまい、吸引口１７からの吸引力を受けて外気を導入する箇所は、前記下部枠体１１の前面部に外気と前記集塵室１３の前方下部を連通する流入口１８を有する第１吸引流路１９からと、ケ−シング１２と上部枠体１４とで形成した第２吸引流路３１からとなり、分岐合流部にて双方から合流した吸引風２４が集塵室１３内部に流入するが、分岐合流部の第２吸引流路３１側に通気性防音材３３を設けたことで、双方の吸引流の衝突音を低下させるとともに、通気性防音材３３を用いているため前記吸引流路３１の流路抵抗を大きく上昇させることもなく吸込具の低騒音化を実現できる。
【００３０】
（実施例７）
以下、本発明の第７の実施例を、図９、図１０を用いて説明する。なお、上記実施例と同一構成部品には同一符号を付し、その説明は省略する。吸込具の開口部１５後方の開口縁に外気と連通する凹部３４を有するものである。
【００３１】
上記構成による動作、作用は以下の通りである。開口部１５後方の開口縁に凹部３４を設けると、畳等の床面２７の場合、すなわち吸込具本体最下面と被掃除面である床面２７との隙間が大きい場合には、前記凹部３４からアジテ−タ−２０の回転方向に反するアジテ−タ−回転阻止吸引風３５が前記掃除体２２に向かうので、アジテ−タ−２０の回転時に掃除体２２と被掃除面との接触抵抗が小さく、アジテ−タ−２０の回転数や騒音が大きくなりがちな床面２７等において、アジテ−タ−２０の回転力を抑えられ、床面２７、畳等での低騒音化が実現できる。
【００３２】
一方、被掃除面が絨毯２８等で吸込具本体最下面と被掃除面とが接触する場合には、前記凹部３４も絨毯２８にて閉塞され、前記アジテ−タ−回転阻止吸引風３５もほとんど流れないため、前記凹部３４の設置前に対してもアジテ−タ−２０の回転力および集塵性能は低下しない。
【００３３】
（実施例８）
以下、本発明の第８の実施例を、図１１、図１２を用いて説明する。なお、上実施例と同一構成部品には同一符号を付し、その説明は省略する。開口部をアジテ−タ−２０の下方に位置する第一開口部１５と吸引口１７近傍下方に位置する第二開口部３６から構成されるものである。
【００３４】
上記構成による動作、作用は以下の通りである。吹込具を被掃除面から上昇させた時、電気掃除機本体内の電動送風機の駆動により発生した吸引力により、吹込具の開口部にて吸引風が生じるが、多量の吸引風がアジテ−タ−２０が存在して通過抵抗の大きい第一開口部１５を通過すると風切音が生じ易いことから、吸引口近傍下方にある通過抵抗の小さい第二開口部３６を設けて、前記第二開口部３６から多くの吸引風を吸引口へと吸引させたもので、吹込具を被掃除面から上昇させた時の低騒音化を実現したものである。
【００３５】
（実施例９）
以下、本発明の第９の実施例を、図１３を用いて説明する。内部に塵埃を集塵する塵埃室７とモ−タ−３８とを備えた電気掃除機本体３９に、ホ−ス４０、延長管４１を介し、上述した実施例１〜８の吸込具と連通するよう接続される接続口を備えた電気掃除機で、吸込具の幅を大きくすることなく、吸込具の幅方向における掃除可能範囲を拡大することができるとともに、アジテ−タ−を効率よく回転できる。
【００３６】
【発明の効果】
本発明の請求項１記載の発明によれば、吸引風は前記集塵室の前方の下部から集塵室内に進入し、前記集塵室内にて塵埃を吹き上げるとともにアジテ−タ−を回転させ吸引口へ吸引されるが、その流れが略直線状で集塵室内にてほぼ最短距離であることでアジテ−タ−を効率よく回転できる。また、絨毯上では凹部が埋まり吸込具本体最下面と被掃除面と接触するため、アジテ−タ−の回転力は変化せず集塵性能を維持するとともに、床面上では開口部後方の開口縁に外気と連通する凹部にて、アジテ−タ−の回転方向に反する方向から吸引風が掃除体に作用することで、アジテ−タ−の回転力を低下させ、床面での低騒音化が実現できる。
【００３７】
本発明の請求項２記載の発明によれば、絨毯等の吸込具本体最下面と被掃除面とが接触する場合には、吸引流が吸引流路の流入穴を通過し開閉体を開く開口能力が強いため、開閉弁の開口面積は最大となり、吸引流路から吸引される吸引風量は低下せず、アジテ−タ−の回転力を維持でき、絨毯での集塵性能を低下させることなく、一方、床面、畳等の吸込具本体最下面と被掃除面との隙間が大きい場合に、吸引流が吸引流路の流入穴を通過し開閉体を開く開口能力が弱く、開閉体の開口面積が小さいことで、吸引流路から吸引される吸引風量が少なくなり、アジテ−タ−の回転力を抑えられ、床面、畳等での低騒音化を実現するものである。また、絨毯上では凹部が埋まり吸込具本体最下面と被掃除面と接触するため、アジテ−タ−の回転力は変化せず集塵性能を維持するとともに、床面上では開口部後方の開口縁に外気と連通する凹部にて、アジテ−タ−の回転方向に反する方向から吸引風が掃除体に作用することで、アジテ−タ−の回転力を低下させ、床面での低騒音化が実現できる。
【図面の簡単な説明】
【図１】  本発明の第１の実施例を示す電気掃除機用吸込具の底面図
【図２】  同電気掃除機用吸込具の側面断面図
【図３】  本発明の第２の実施例を示す電気掃除機用吸込具の底面図
【図４】  本発明の第３の実施例を示す電気掃除機用吸込具の側面断面図
【図５】  同電気掃除機用吸込具の側面断面図
【図６】  本発明の第４の実施例を示す開閉体の側面断面図
【図７】  本発明の第５の実施例を示す電気掃除機用吸込具の側断面図
【図８】  本発明の第６の実施例を示す電気掃除機用吸込具の側断面図
【図９】  本発明の第７の実施例を示す電気掃除機用吸込具の底面図
【図１０】  同電気掃除機用吸込具の側断面図
【図１１】  本発明の第８の実施例を示す電気掃除機用吸込具の底面図
【図１２】  同電気掃除機用吸込具の側断面図
【図１３】  本発明の第９の実施例を示す電気掃除機の全体図
【図１４】  従来の電気掃除機用吸込具の底面図
【図１５】  同電気掃除機用吸込具の断面図
【符号の説明】
１３  集塵室
１５  開口部
１７  吸引口
１８  流入口
１９  吸引流路
２０  アジテ−タ−
２４  吸引風
２６  開閉体
２９  樹脂薄板開閉弁
３１  第二吸引流路
３２  壁
３３  通気性吸音材
３４  凹部
３５  アジテ−タ−回転阻止用吸引風
３６  第二開口部
３９  電気掃除機本体
【図１】
0004051777.tif 000002
【図２】
0004051777.tif 000003
【図３】
0004051777.tif 000004
【図４】
0004051777.tif 000005
【図５】
0004051777.tif 000006
【図６】
0004051777.tif 000007
【図７】
0004051777.tif 000008
【図８】
0004051777.tif 000009
【図９】
0004051777.tif 000010
【図１０】
0004051777.tif 000011
【図１１】
0004051777.tif 000012
【図１２】
0004051777.tif 000013
【図１３】
0004051777.tif 000014
【図１４】
0004051777.tif 000015
【図１５】
0004051777.tif 000016